(57)【要約】【課題】精度の高い盗難判断を行い、ユーザに盗難に関する情報を通知することができる電子機器、制御方法、制御プログラム及び通信システムを提供すること。【解決手段】加速度センサ２０と、位置測位センサ２１と、基地局と通信を行う第１通信部２２と、加速度センサ２０により検出された加速度に基づいて所定の移動状態であると判断した場合、当該移動状態と、位置測位センサ２１により測位された位置情報とを登録されている外部の電子機器に送信するように第１通信部２２を制御する第１制御部１９とを備える。【選択図】図２
2015067088.tif 000002
【特許請求の範囲】
【請求項１】
加速度センサと、
位置測位センサと、
基地局と通信を行う通信部と、
前記加速度センサにより検出された加速度に基づいて所定の移動状態であると判断した場合、当該移動状態と、前記位置測位センサにより測位された位置情報とを登録されている外部の電子機器に送信するように前記通信部を制御する制御部とを備える電子機器。
【請求項２】
前記制御部は、所定の移動状態であると判断した場合、前記位置測位センサにより測位された位置情報を所定の周期で前記外部の電子機器に送信するように前記通信部を制御する請求項１記載の電子機器。
【請求項３】
加速度センサにより検出された加速度に基づいて所定の移動状態であるかどうかを判断する判断ステップと、
位置測位センサにより位置情報を測位する測位ステップと、
前記判断ステップにより前記所定の移動状態であると判断した場合、当該移動状態と、前記位置情報とを登録されている外部の電子機器に送信する送信ステップとを有する制御方法。
【請求項４】
加速度センサにより検出された加速度に基づいて所定の移動状態であるかどうかを判断する判断ステップと、
位置測位センサにより位置情報を測位する測位ステップと、
前記判断ステップにより前記所定の移動状態であると判断した場合、当該移動状態と、前記位置情報とを登録されている外部の電子機器に送信する送信ステップとをコンピュータによって実現するための制御プログラム。
【請求項５】
基地局を介して第１電子機器と第２電子機器との間で通信を行う通信システムにおいて、
前記第１電子機器は、
加速度センサと、
位置測位センサと、
基地局と通信を行う第１通信部と、
前記加速度センサにより検出された加速度に基づいて所定の移動状態であると判断した場合、当該移動状態と、前記位置測位センサにより測位された位置情報とを登録されている前記第２電子機器に送信するように前記第１通信部を制御する第１制御部とを備え、
前記第２電子機器は、
前記移動状態と前記位置情報を受信する第２通信部と、
表示部と、
前記第２通信部により前記移動状態と前記位置情報を受信した場合、前記移動状態と前記位置情報を前記表示部に表示するように制御する第２制御部とを備える通信システム。
【請求項６】
前記第２制御部は、前記表示部に地図画像を表示させ、当該地図画像上に前記位置情報に基づく前記第１電子機器の位置を表示する請求項５記載の通信システム。
【発明の詳細な説明】
【技術分野】
【０００１】
本発明は、通信機能を有する電子機器、制御方法、制御プログラム及び通信システムに関する。
【背景技術】
【０００２】
従来より、車両の盗難を防止する技術が提案されている（例えば、特許文献１、２を参照）。
特許文献１によれば、所定の条件を満たした場合のみエンジンの始動を許可する等して車両の盗難防止を図る構成が開示されている。
特許文献２によれば、バッテリー内に盗難通報装置を設置し、自転車又はバッテリーに振動が加えられた場合に警報を発することにより自転車の盗難防止を図る構成が開示されている。
【先行技術文献】
【特許文献】
【０００３】
【特許文献１】特開２００６−２１５９７号公報
【特許文献２】特開２００７−１５５６７号公報
【発明の概要】
【発明が解決しようとする課題】
【０００４】
ところで、特許文献１によれば、対象となる車両専用の盗難防止装置であるため、車両を複数台所有している場合には、全車両に盗難防止装置が必要になり、対象となる車両に固定的に設置するため、簡易に他の車両に転用できないデメリットがある。さらに、特許文献１のように車両の盗難を防止するために複雑な構成を採用すると、コストがかかる問題もある。
特許文献２によれば、例えば、駐輪場の係員が車両を別の場所に移動しようとしただけで、盗難であると誤った判断をしてしまうおそれがある。
【０００５】
本発明は、精度の高い盗難判断を行い、ユーザに盗難に関する情報を通知することができる電子機器、制御方法、制御プログラム及び通信システムを提供することを目的とする。
【課題を解決するための手段】
【０００６】
本発明に係る電子機器は、上記課題を解決するために、加速度センサと、位置測位センサと、基地局と通信を行う通信部と、前記加速度センサにより検出された加速度に基づいて所定の移動状態であると判断した場合、当該移動状態と、前記位置測位センサにより測位された位置情報とを登録されている外部の電子機器に送信するように前記通信部を制御する制御部とを備える構成である。
【０００７】
電子機器では、前記制御部は、所定の移動状態であると判断した場合、前記位置測位センサにより測位された位置情報を所定の周期で前記外部の電子機器に送信するように前記通信部を制御する構成でもよい。
【０００８】
本発明に係る制御方法は、上記課題を解決するために、加速度センサにより検出された加速度に基づいて所定の移動状態であるかどうかを判断する判断ステップと、位置測位センサにより位置情報を測位する測位ステップと、前記判断ステップにより前記所定の移動状態であると判断した場合、当該移動状態と、前記位置情報とを登録されている外部の電子機器に送信する送信ステップとを有する構成である。
【０００９】
本発明に係る制御プログラムは、上記課題を解決するために、加速度センサにより検出された加速度に基づいて所定の移動状態であるかどうかを判断する判断ステップと、位置測位センサにより位置情報を測位する測位ステップと、前記判断ステップにより前記所定の移動状態であると判断した場合、当該移動状態と、前記位置情報とを登録されている外部の電子機器に送信する送信ステップとをコンピュータによって実現するためのプログラムである。
【００１０】
本発明に係る通信システムは、上記課題を解決するために、基地局を介して第１電子機器と第２電子機器との間で通信を行う通信システムにおいて、前記第１電子機器は、加速度センサと、位置測位センサと、基地局と通信を行う第１通信部と、前記加速度センサにより検出された加速度に基づいて所定の移動状態であると判断した場合、当該移動状態と、前記位置測位センサにより測位された位置情報とを登録されている前記第２電子機器に送信するように前記第１通信部を制御する第１制御部とを備え、前記第２電子機器は、前記移動状態と前記位置情報を受信する第２通信部と、表示部と、前記第２通信部により前記移動状態と前記位置情報を受信した場合、前記移動状態と前記位置情報を前記表示部に表示するように制御する第２制御部とを備える構成である。
【００１１】
通信システムでは、前記第２制御部は、前記表示部に地図画像を表示させ、当該地図画像上に前記位置情報に基づく前記第１電子機器の位置を表示する構成でもよい。
【発明の効果】
【００１２】
本発明によれば、精度の高い盗難判断を行い、ユーザに盗難に関する情報を通知することができる。
【図面の簡単な説明】
【００１３】
【図１】携帯電話機の外観図である。
【図２】携帯電話機の機能を示す機能ブロック図である。
【図３】他の電子機器の機能を示す機能ブロック図である。
【図４】携帯電話機の動作についての説明に供するフローチャートである。
【発明を実施するための形態】
【００１４】
以下、本発明を実施するための好ましい実施形態について、図面を参照しながら説明する。まず、本発明の電子機器の一実施形態に係る携帯電話機１の基本構造について、図１を参照しながら説明する。図１は、携帯電話機１の外観図である。
【００１５】
携帯電話機１は、ストレートタイプの携帯電話機１である。携帯電話機１は、筐体２と、筐体２に対して一定方向に所定量だけ滑動するように取り付けられた滑動部材３と、滑動部材３に連結されたストラップ４により構成されている。携帯電話機１は、通話機能に加えて防犯ブザー機能を有している。防犯ブザー機能とは、ユーザが危険を察知した場合に携帯電話機１に所定の操作を施すことで大音量を発生させて、周囲にいる人に注意を促す機能である。具体的には、携帯電話機１は、ストラップ４が所定以上の力で引っ張られると、滑動部材３が一定方向に所定量だけ滑動し、この滑動をトリガーとして、大音量でブザーが周囲に鳴り響くことにより、周囲にいる人に注意を促す。なお、この場合には、後述する第１制御部１９は、ストラップ４が所定以上の力で引っ張られたことにより防犯ブザーが鳴っている旨の通知を受け、提携している警備会社等にメール等の機能を利用して緊急通知を行う機能を有していてもよい。
【００１６】
筐体２の前面２ａには、操作部１１と、表示部１２と、マイク１３と、スピーカ１４とが配置されている。操作部１１は、互いに異なる方向を指定する複数の方向指定キー１１ａと、所定の機能を作動させるための機能作動キー１１ｂと、終話キー１１ｃを備える。ここで、複数の方向指定キー１１ａは、図１に示すように物理的に１つのキーの場合でも、上方向、右方向、下方向及び左方向にそれぞれ異なる機能が割り当てられていれば、複数の方向指定キーとする。なお、方向指定キー１１ａは、複数の方向に指定可能なものであればよく、ジョイスティック、トラックボール、又はその他ポインティングデバイスであってもよい。
【００１７】
マイク１３は、携帯電話機１のユーザが通話時に発した音声を入力する。スピーカ１４は、携帯電話機１の使用時に通話の相手方の音声が出力する。
【００１８】
なお、携帯電話機１は、上述したストレートタイプに限定されることはない。すなわち、携帯電話機は、操作部側筐体と表示部側筐体とを重ね合わせた状態から一方の筐体を一方向にスライドさせるようにしたスライド式、重ね合せ方向に沿う軸線を中心に一方の筐体を回転させるようにした回転式、操作部側筐体と表示部側筐体とを２軸ヒンジを介して連結したもの、又は操作部側筐体と表示部側筐体とをヒンジ機構で結合させた折り畳み式であってもよい。
【００１９】
携帯電話機１の機能構成について説明する。図２は、携帯電話機１の機能を示す機能ブロック図である。携帯電話機１は、操作部１１と、表示部１２と、マイク１３と、スピーカ１４と、アンテナ１５と、ＲＦ回路部１６と、音声処理部１７と、メモリ１８と、第１制御部１９とを備える。なお、携帯電話機１は、ストラップ４が所定以上の力で引っ張られると、滑動部材３が一定方向に所定量だけ滑動し、その旨が第１制御部１９に通知されるようになっている。
【００２０】
アンテナ１５は、基地局との間で所定の使用周波数帯により信号を送信及び受信を行う。なお、所定の使用周波数帯とは、８００ＭＨｚ帯、９００ＭＨｚ帯、１．５ＧＨｚ帯等である。
【００２１】
ＲＦ回路部１６は、アンテナ１５によって受信した信号を復調処理し、処理後の信号を第１制御部１９に供給する。ＲＦ回路部１６は、第１制御部１９から供給された信号を変調処理し、アンテナ１５を利用して処理後の信号を外部に送信する。
【００２２】
音声処理部１７は、第１制御部１９の制御にしたがって、ＲＦ回路部１６から供給された信号に対して所定の音声処理を行い、処理後の信号をスピーカ１４に出力する。スピーカ１４は、音声処理部１７から供給された信号を外部に出力する。
【００２３】
音声処理部１７は、第１制御部１９の制御にしたがって、マイク１３から入力された信号を処理し、処理後の信号をＲＦ回路部１６に出力する。ＲＦ回路部１６は、音声処理部１７から供給された信号に所定の処理を行い、アンテナ１５を利用して処理後の信号を外部に送信する。
【００２４】
メモリ１８は、例えば、ワーキングメモリを含み、第１制御部１９による演算処理に利用される。メモリ１８には、複数のアプリケーション、及び当該アプリケーションが必要とする各種のテーブル等が記憶されている。メモリ１８は、着脱可能な外部メモリを兼ねていてもよい。
【００２５】
第１制御部１９は、携帯電話機１の全体を制御しており、中央処理装置（ＣＰＵ）等を用いて構成される。
【００２６】
このように構成される携帯電話機１は、精度の高い盗難判断を行い、ユーザに盗難に関する情報を通知するための構成を有している。以下に、詳細な携帯電話機１の構成と動作について詳述する。
【００２７】
携帯電話機１は、図２に示すように、加速度センサ２０と、位置測位センサ２１と、第１通信部２２とを備える。なお、第１通信部２２は、基地局と通信を行う機能を有し、主にアンテナ１５とＲＦ回路部１６により構成されている。
【００２８】
位置測位センサ２１は、いわゆるＧＰＳセンサであり、地球の上空を周回するＧＰＳ衛星から擬似雑音符号化して発信されている微弱な高周波電波信号（ＧＰＳ信号）を受信し、ＧＰＳ信号の地上への到達時間、ＧＰＳ信号に含まれる時刻情報及び航法メッセージを解読することにより、地球上における自身の位置情報を正確に測位する機能を有している。
【００２９】
第１制御部１９は、加速度センサ２０により検出された加速度に基づいて所定の移動状態であると判断した場合、当該移動状態と、位置測位センサ２１により測位された位置情報とを登録されている外部の電子機器（以下、携帯電話機１００という。）に送信するように第１通信部２２を制御する。
【００３０】
携帯電話機１００は、図３に示すように、第２通信部１０１と、表示部１０２と、第２制御部１０３とを備える。
第２通信部１０１は、基地局と通信を行う機能を有しており、基地局を介して携帯電話機１から送信されてきた移動状態と位置情報を受信する。
第２制御部１０３は、第２通信部により移動状態と位置情報を受信した場合、移動状態と位置情報を表示部１０２に表示するように制御する。
【００３１】
加速度センサ２０から供給された情報に基づいて、所定の移動状態であるかどうかの判断を行う際の第１制御部１９の動作について説明する。
加速度センサ２０は、携帯電話機１に働く加速度の方向及び大きさを検出し、検出結果を第１制御部１９に出力する。加速度センサ２０は、Ｘ軸方向、Ｙ軸方向及びＺ軸方向の加速度を検出する３軸（３次元）タイプであって、例えば、携帯電話機１の外部から加わった力（Ｆ）と携帯電話機１の質量（ｍ）に基づいて、加速度（ａ）を測定する（加速度（ａ）＝力（Ｆ）／質量（ｍ））。
【００３２】
なお、加速度センサ２０は、圧電素子（圧電式）に限らず、ピエゾ抵抗型、静電容量型、熱検知型等によるＭＥＭＳ（Ｍｉｃｒｏ  Ｅｌｅｃｔｒｏ  Ｍｅｃｈａｎｉｃａｌ  Ｓｙｓｔｅｍｓ）式、可動コイルを動かしてフィードバック電流によってもとに戻すサーボ式、又は加速度によって生じる歪を歪ゲージによって測定する歪ゲージ式等により構成されてもよい。
【００３３】
加速度センサ２０は、Ｘ軸方向の加速度、Ｙ軸方向の加速度及びＺ軸方向の加速度を合成したベクトル値を検出結果として第１制御部１９に供給する。なお、加速度センサ２０は、合成したベクトル値ではなく、Ｘ軸方向の加速度、Ｙ軸方向の加速度及びＺ軸方向の加速度をそのまま第１制御部１９に供給してもよい。このような構成の場合には、第１制御部１９は、Ｘ軸方向の加速度、Ｙ軸方向の加速度及びＺ軸方向の加速度を合成して、合成ベクトル値を算出する。
【００３４】
第１制御部１９は、合成ベクトル値をロギングし、ロギングしたデータを分析して、携帯電話機１の状態を判定する。例えば、第１制御部１９は、ロギングしたデータを分析した結果と、メモリ１８に記憶されている複数の移動状態を示すサンプルデータとを比較して、移動状態を特定し、特定した移動状態が所定の移動状態かどうかを判断する。複数の移動状態とは、歩行による移動状態、自転車による移動状態、自動車による移動状態、自動二輪車による移動状態等である。所定の移動状態とは、例えば、自転車による移動状態、自動車による移動状態、自動二輪車による移動状態をいう。
【００３５】
携帯電話機１の具体的な動作について説明する。
携帯電話機１は、他の電子機器（以下、携帯電話機１００という。）に対して、移動検出時に通知を行う見張りモード（以下、移動見張りモードという。）という機能を有している。
【００３６】
携帯電話機１は、携帯電話機１００から送信されてきた移動見張りモードの起動要求を受信した場合、予め設定されている見張り設定に基づいて、移動見張りモードを起動する。
携帯電話機１は、移動見張りモードが起動している場合において、所定の移動状態であると判断した場合、移動状態と位置情報とを携帯電話機１００に送信する。
【００３７】
携帯電話機１は、携帯電話機１００から送信されてきた移動見張りモードの終了要求を受信した場合、移動見張りモードを終了し、通常モードに復帰する。なお、移動見張りモードの起動、終了等の設定は、携帯電話機１００からの要求にしたがって行われるものとして説明したが、これに限定されない。移動見張りモードの動作中は、携帯電話機１のキー操作を無効にしてもよい。
【００３８】
携帯電話機１は、携帯電話機１００から送信されてきた移動見張りモードの終了要求を受信した場合、移動見張りモードを終了する。なお、移動見張りモードの起動、終了等の設定は、携帯電話機１００からの要求にしたがって行われるものとして説明したが、これに限定されない。移動見張りモードの動作中は、携帯電話機１のキー操作を無効にしてもよい。
【００３９】
携帯電話機１は、移動見張りモードだけでなく、振動検出時に動作する見張りモード（以下、振動見張りモードという。）があってもよい。
携帯電話機１は、振動見張りモードが起動している場合において、加速度センサ２０により所定の振動を検知した場合、所定の通知を行う。所定の通知とは、例えば、アラーム鳴動による通知、振動したことを知らせるメッセージを携帯電話機１００に送信することによる通知等が該当する。
【００４０】
アラーム鳴動による通知は、防犯ブザーによる鳴動でもよい。アラーム鳴動による通知は、所定時間経過後に停止する設定でもよい。所定時間とは、例えば、１分、５分等である。なお、アラーム鳴動による通知が停止した後も、移動見張りモードは継続する。
【００４１】
加速度センサ２０による所定の振動の検知は、例えば、１０段階のレベル設定ができてもよい。ユーザがレベル設定をする際に、実際にどの程度の振動で検知を行うのかを確かめるための確認モードがあってもよい。
【００４２】
携帯電話機１は、移動見張りモードと振動見張りモードを併用してもよい。二つのモードを併用した場合には、例えば、車等の振動を検出したときに振動見張りモードの機能によりアラーム鳴動が実行され、次に、車等の移動を検出したときに移動見張りモードの機能により移動状態と位置情報とが携帯電話機１００に送信される。
【００４３】
例えば、ユーザは、携帯電話機１を自動車、自動二輪車、自転車等（以下、車等という。）に設置し、携帯電話機１００を操作して、携帯電話機１の見張りモードを起動する。なお、携帯電話機１は、人目につかない場所に設置した方がよい。自動車の場合には、例えば、シートの下、ダッシュボードの中等が考えられる。自動二輪車の場合には、例えば、ヘルメットを格納するシート下、カウルの内側等が考えられる。自転車の場合には、例えば、サドルの内側等が考えられる。
【００４４】
携帯電話機１が設置されている車等が自走等することにより移動した場合、携帯電話機１は、所定の移動状態であると判断し、当該移動状態と、位置測位センサ２１により測位された位置情報とを携帯電話機１００に送信する。
【００４５】
携帯電話機１００は、携帯電話機１から移動状態と位置情報とを受信した場合、携帯電話機１が所定の移動状態において移動している旨を通知する。
ユーザは、当該通知により、携帯電話機１が設置されている車等が移動したことを知り、かつ、車等の現在位置を把握することができる。
【００４６】
このような構成によれば、携帯電話機１は、加速度センサ２０により検出された加速度に基づいて所定の移動状態であると判断した場合、当該移動状態と、位置測位センサ２１により測位された位置情報とを携帯電話機１００に送信するので、精度の高い盗難判断により車等の盗難を見張ることができ、ユーザに盗難に関する情報を通知することができる。
【００４７】
なお、自動車の場合には、自走以外にレッカーによる移動、ならびに車載車およびトラックも考えられる。エンジンの始動に起因した盗難検知をする従来技術を採用した場合には、レッカー移動による盗難を検知できない。携帯電話機１は、移動状態によって盗難を検知するので、レッカー移動であっても確実に盗難を検知することができる。
【００４８】
携帯電話機１は、小型軽量なので、車等の様々な場所に設置することができる。携帯電話機１は、持ち運びが可能な携帯型なので、一の車等から取り外して、他の車等に設置することができる。
【００４９】
第２制御部１０３は、表示部１０２に地図画像を表示させ、当該地図画像上に位置情報に基づく携帯電話機１の位置を表示する構成でもよい。
【００５０】
このような構成によれば、携帯電話機１は、位置情報を携帯電話機１００に送信するので、自身の位置を携帯電話機１００に通知することができる。携帯電話機１００は、携帯電話機１００の位置情報を地図上にマッピングすることにより、携帯電話機１の位置、すなわち車等の位置を把握することができる。
【００５１】
第１制御部１９は、所定の移動状態であると判断した場合、位置測位センサ２１により測位された位置情報を所定の周期で携帯電話機１００に送信するように第１通信部２２を制御する構成でもよい。所定の周期とは、例えば、５分、１０分、３０分等である。所定の周期の間隔が小さいほど、携帯電話機１の位置を短期間に通知することができるメリットがある。一方、所定の周期の間隔が大きいほど、携帯電話機１の電力消費を低く抑えることができるメリットがある。
【００５２】
このような構成によれば、携帯電話機１は、所定の周期で位置情報を携帯電話機１００に送信するので、自身の位置を定期的に携帯電話機１００に通知することができる。携帯電話機１００は、所定の周期で送信されてくる携帯電話機１００の位置情報を地図上にマッピングすることにより、携帯電話機１の位置、すなわち車等の位置を追尾することができる。
【００５３】
携帯電話機１の動作について図４に示すフローチャートを参照しながら説明する。
ステップＳＴ１において、第１制御部１９は、加速度センサ２０により検出された加速度に基づいて所定の移動状態であるかどうかを判断する。
ステップＳＴ２において、第１制御部１９は、位置測位センサ２１により測位された位置情報を取得する。
【００５４】
ステップＳＴ３において、第１制御部１９は、ステップＳＴ１の工程により所定の移動状態であると判断した場合、当該移動状態と、ステップＳＴ２の工程により取得した位置情報とを携帯電話機１００に送信する。
【００５５】
このような構成によれば、携帯電話機１は、加速度センサ２０により検出された加速度に基づいて所定の移動状態であると判断した場合、当該移動状態と、位置測位センサ２１により測位された位置情報とを携帯電話機１００に送信するので、精度の高い盗難判断により車等の盗難を見張ることができ、ユーザに盗難に関する情報を通知することができる。なお、ステップＳＴ１とステップＳＴ２は、順番が逆でもよいし、同時に行われてもよい。
【００５６】
携帯電話機１は、精度の高い盗難判断を行い、ユーザに盗難に関する情報を通知するために、第１制御部１９と、加速度センサ２０と、位置測位センサ２１と、第１通信部２２等の必要最低限の要素のみを備え、表示部１２、滑動部材３、ストラップ４及び通話機能等を備えない構成でもよい。
【００５７】
本実施例では、加速度センサ２０により検出された加速度に基づいて所定の移動状態であると判断した場合、当該移動状態と、位置測位センサ２１により測位された位置情報とを携帯電話機１００に送信するための構成と動作について説明したが、これに限られず、精度の高い盗難判断を行い、ユーザに盗難に関する情報を通知するためのプログラムとして構成されてもよい。
【００５８】
携帯電話機１の機能を実現するためのプログラムをコンピュータで読み取り可能な記録媒体に記録して、この記録媒体に記録されたプログラムをコンピュータシステムに読み込ませ、実行することによって実現してもよい。
【００５９】
ここでいう「コンピュータシステム」とは、ＯＳ及び周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００６０】
「コンピュータで読み取り可能な記録媒体」とは、インターネット等のネットワーク及び電話回線等の通信回線を介してプログラムを送信する場合の通信線のように、短時刻の間、動的にプログラムを保持するもの、その場合のサーバ及びクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【符号の説明】
【００６１】
１  携帯電話機
１８  メモリ
１９  第１制御部
２０  加速度センサ
２１  位置測位センサ
２２  第１通信部
１００  携帯電話機
１０１  第２通信部
１０２  表示部
１０３  第２制御部
【図１】
2015067088.tif 000003
【図２】
2015067088.tif 000004
【図３】
2015067088.tif 000005
【図４】
2015067088.tif 000006